(57)【特許請求の範囲】
【請求項１】
回転軸（１４）に整流子（１８）が取り付けられた電機子（１２）を収容するヨーク（１１）と、
前記ヨーク（１１）の開口部に取り付けられ、内側面（２０ｄ）に一対の内端子保持台座（２２）が前記回転軸（１４）を挟むように突設されるとともに、該内端子保持台座（２２）の近傍に外端子挿入孔（２１ａ）が設けられるプレート（２０）と、
前記整流子（１８）に接触させるようにブラシ（２７ｂ）を弾性付勢して支持する板バネ状の一対のブラシ保持板（２７ａ）と、
外部から電源を供給すべく前記外端子挿入孔（２１ａ）から挿入される給電用端子（Ｔ）と接続するための端子部（２５ｄ）と、前記ブラシ保持板（２７ａ）と連結する連結部（２６）とを有し、前記内端子保持台座（２２）にそれぞれ保持される一対の内部給電端子（２５）とを備え、
前記内部給電端子（２５）は、一側面に前記端子部（２５ｄ）、他側面に前記連結部（２６）を有することを特徴とする給電端子内蔵モータ。
【請求項２】
請求項１に記載の給電端子内臓モータにおいて、
前記ブラシ保持板（２７ａ）は、前記内部給電端子（２５）と前記内端子保持台座（２２）とで狭持され、ブラシ保持板（２７ａ）、内部給電端子（２５）及び内端子保持台座（２２）のうち少なくとも１つには、ブラシ保持板（２７ａ）を移動不能に連結する連結手段（２６，２７ｃ）を備えたことを特徴とする給電端子内蔵モータ。
【請求項３】
請求項１又は２に記載の給電端子内蔵モータにおいて、
前記プレート（２０）は、前記内端子保持台座（２２）の上面に設けられる台座係合部（２２ｂ）と、前記内端子保持台座（２２）の近傍に設けられる内端子挟持スリット（２１ｂ）とを有し、
前記内部給電端子（２５）は、一端に前記台座係合部（２２ｂ）と係合するための内端子係合部（２５ｆ）を有する保持部（２５ａ）と、他端に前記内端子挟持スリット（２１ｂ）に挿入嵌合するための一対の挿入片（２５ｃ）とを有することを特徴とする給電端子内蔵モータ。
【請求項４】
請求項３に記載の給電端子内蔵モータにおいて、
前記プレート（２０）は、前記内端子挟持スリット（２１ｂ）に連設されるストッパ凹部（２２ｃ）を有し、
前記一対の挿入片（２５ｃ）は、前記ストッパ凹部（２２ｃ）と係合するための可倒凸部（２５ｇ）をそれぞれ有することを特徴とする給電端子内蔵モータ。
【請求項５】
請求項３又は４に記載の給電端子内蔵モータにおいて、
前記内端子挟持スリット（２１ｂ）には、前記一対の挿入片（２５ｃ）間の凹部（２５ｂ）と嵌合する内端子支持中央凸部（２２ｄ）が形成されていることを特徴とする給電端子内蔵モータ。
【請求項６】
請求項１乃至５のいずれか１に記載の給電端子内蔵モータにおいて、
前記プレート（２０）は、一対の平行部（２０ａ）と一対の円弧部（２０ｂ）が形成され、
前記ブラシ保持板（２７ａ）は、前記平行部（２０ａ）とほぼ平行に延びるように設けられることを特徴とする給電端子内蔵モータ。
【請求項７】
請求項６に記載の給電端子内蔵モータにおいて、
前記プレート（２０）は、配設された前記ブラシ保持板（２７ａ）に対応した位置に貫通孔（２０ｅ）を有することを特徴とする給電端子内蔵モータ。
【請求項８】
請求項１乃至７のいずれか１に記載の給電端子内蔵モータにおいて、
前記プレート（２０）には、その外側面（２０ｃ）が導電板（１９）により覆われるように該導電板（１９）が一体に設けられることを特徴とする給電端子内蔵モータ。
【請求項９】
整流子（１８）を備える電機子（１２）と、
モータの内側面（２０ｄ）に一対の内端子保持台座（２２）が前記整流子（１８）を径方向から挟むように突設されているプレート（２０）と、
前記整流子（１８）に接触させるようにブラシ（２７ｂ）を弾性付勢して支持する板バネ状の一対のブラシ保持板（２７ａ）と、
外部から電源を供給すべくモータ内部に挿入される給電用端子（Ｔ）と接続するための端子部（２５ｄ）と、前記ブラシ保持板（２７ａ）と連結する連結部（２６）とを有する一対の内部給電端子（２５）と、を備え、
前記内端子保持台座（２２）に前記ブラシ保持板（２７ａ）と前記連結部（２６）とが径方向に重なって保持され、前記連結部（２６）は、前記端子部（２５ｄ）の裏面に形成されていることを特徴とする給電端子内蔵モータ。
【発明の詳細な説明】
【０００１】
【発明の属する技術分野】
本発明は、給電端子を内蔵したモータに関するものである。
【０００２】
【従来の技術】
従来、モータにおけるブラシ保持構造の組み付けを容易にするとともに、モータのコンパクト化を図るために、本出願人は、モータにおけるブラシ保持構造を先に提案している（特許願平１１−００４９６７に参照）。この提案では、板バネ基板（内部給電端子）は、基部と、基部の一端から上方に延びる雌型端子と、基部の他端から延びブラシを有する板バネ状部材と連結するための平板部とを備えており、その基部が蓋体を構成する保持部の固定用凸部に嵌挿され、該保持部上面に固定されている。
【０００３】
【発明が解決しようとする課題】
ところが、前記板バネ基板（内部給電端子）は、その下端の基部が固定用凸部に嵌挿されて固定されているので、前記板バネ基板を組み付けた蓋体をモータに取付固定するときに前記板バネ基板が倒れる虞がある。仮に、板バネ基板を組み付けた蓋体をモータに取付固定するときに板バネ基板が倒れると、該基板がモータ内部品、例えばコンミテータ等を損傷させ、その損傷によってモータ作動時の騒音が大きくなる場合がある。
【０００４】
また、前記板バネ基板（内部給電端子）は、該基板を固定するための基部を雌型端子と平板部との間に設けているので、雌型端子と平板部との間に隙間が生じる。そのため、内部給電端子を備えたモータにおいては、通常でも該内部給電端子の存在によって同一出力のモータに比しモータ体格、特にモータ径が大きくなっていたが、この隙間によってさらにモータ径（体格）が大きくなり、モータのコンパクト化を図る必要がある。
【０００５】
本発明は前記の問題点に鑑みてなされたものであって、第１の目的は、内部給電端子が倒れることなく確実にモータ内部に組み付け保持することができる給電端子内蔵モータを提供することである。
【０００６】
また、第２の目的は、第１の目的に加え、コンパクト化を図ることができる給電端子内蔵モータを提供することである。
【０００７】
【課題を解決するための手段】
上記問題点を解決するために、請求項１に記載の発明は、回転軸に整流子が取り付けられた電機子を収容するヨークと、前記ヨークの開口部に取り付けられ、内側面に一対の内端子保持台座が前記回転軸を挟むように突設されるとともに、該内端子保持台座の近傍に外端子挿入孔が設けられるプレートと、前記整流子に接触させるようにブラシを弾性付勢して支持する板バネ状の一対のブラシ保持板と、外部から電源を供給すべく前記外端子挿入孔から挿入される給電用端子と接続するための端子部と、前記ブラシ保持板と連結する連結部とを有し、前記内端子保持台座にそれぞれ保持される一対の内部給電端子とを備え、前記内部給電端子は、一側面に前記端子部、他側面に前記連結部を有する。
【０００８】
請求項２に記載の発明は、請求項１に記載の給電端子内臓モータにおいて、前記ブラシ保持板は、前記内部給電端子と前記内端子保持台座とで狭持され、ブラシ保持板、内部給電端子及び内端子保持台座のうち少なくとも１つには、ブラシ保持板を移動不能に連結する連結手段を備えた。
【０００９】
請求項３に記載の発明は、請求項１又は２に記載の給電端子内蔵モータにおいて、前記プレートは、前記内端子保持台座の上面に設けられる台座係合部と、前記内端子保持台座の近傍に設けられる内端子挟持スリットとを有し、前記内部給電端子は、一端に前記台座係合部と係合するための内端子係合部を有する保持部と、他端に前記内端子挟持スリットに挿入嵌合するための一対の挿入片とを有する。
【００１０】
請求項４に記載の発明は、請求項３に記載の給電端子内蔵モータにおいて、前記プレートは、前記内端子挟持スリットに連設されるストッパ凹部を有し、前記一対の挿入片は、前記ストッパ凹部と係合するための可倒凸部をそれぞれ有する。
【００１１】
請求項５に記載の発明は、請求項３又は４に記載の給電端子内蔵モータにおいて、前記内端子挟持スリットには、前記一対の挿入片間の凹部と嵌合する内端子支持中央凸部が形成されている。
【００１２】
請求項６に記載の発明は、請求項１乃至５のいずれか１に記載の給電端子内蔵モータにおいて、前記プレートは、一対の平行部と一対の円弧部が形成され、前記ブラシ保持板は、前記平行部とほぼ平行に延びるように設けられる。
【００１３】
請求項７に記載の発明は、請求項６に記載の給電端子内蔵モータにおいて、プレートは、配設された前記ブラシ保持板に対応した位置に貫通孔を有する。
請求項８に記載の発明は、請求項１乃至７のいずれか１に記載の給電端子内蔵モータにおいて、前記プレートには、その外側面が導電板により覆われるように該導電板が一体に設けられる。
【００１４】
請求項９に記載の発明は、整流子を備える電機子と、モータの内側面に一対の内端子保持台座が前記整流子を径方向から挟むように突設されているプレートと、前記整流子に接触させるようにブラシを弾性付勢して支持する板バネ状の一対のブラシ保持板と、外部から電源を供給すべくモータ内部に挿入される給電用端子と接続するための端子部と、前記ブラシ保持板と連結する連結部とを有する一対の内部給電端子と、を備え、前記内端子保持台座に前記ブラシ保持板と前記連結部とが径方向に重なって保持され、前記連結部は、前記端子部の裏面に形成されている給電端子内蔵モータである。
【００１５】
（作用）
請求項１に記載の発明によれば、一対の内部給電端子は、外部から電源を供給すべくプレートの外端子挿入孔から挿入される給電用端子と接続するための端子部と、ブラシ保持板と連結する連結部とを有し、プレートにおける回転軸を挟むように突設される内端子保持台座にそれぞれ保持される。従って、内端子保持台座によって内部給電端子が安定して保持されるので、該内部給電端子は倒れることなく確実にプレートに組み付け保持することができる。
【００１６】
また、内部給電端子は、一側面に端子部、他側面に連結部を有している。即ち、端子部と連結部との間に隙間が生じないため、モータをよりコンパクト化することができる。
【００１７】
請求項２に記載の発明によれば、ブラシ保持板は、内部給電端子と内端子保持台座とで狭持され、ブラシ保持板、内部給電端子及び内端子保持台座のうち少なくとも１つには、ブラシ保持板を移動不能に連結する連結手段が備えられる。従って、ブラシ保持板を余分な部品を必要とすることなく、簡単に取り付けることができる。しかも、連結手段により、ブラシ保持板を確実に移動不能に固定することができる。
【００１８】
請求項３に記載の発明によれば、内部給電端子は、一端の保持部の内端子係合部が内端子保持台座の上面に設けたに台座係合部と係合し、他端の一対の挿入片がプレートの内端子挟持スリットに挿入嵌合される。すると、内部給電端子の保持部が内端子保持台座の上面に当接することによって内部給電端子はそれ以上下動不能にプレートに保持される。また、内部給電端子の内端子係合部が台座係合部と係合し、しかも一対の挿入片が内端子挟持スリットに挿入されることによって、内部給電端子は左右前後移動不能にプレートに保持される。その結果、内部給電端子は、倒れることなくより確実にプレートに保持できる。
【００１９】
請求項４に記載の発明によれば、内部給電端子の一対の挿入片をプレートの内端子挟持スリットに挿入させるとき、その可倒凸部がストッパ凹部と係合されることによって、内部給電端子は上動不能にプレートに保持される。その結果、内部給電端子は内端子保持台座から上動して脱落することなく内端子保持台座により確実に保持できる。
【００２０】
請求項５に記載の発明によれば、内部給電端子の一対の挿入片をプレートの内端子挟持スリットに挿入させるとき、その一対の挿入片間の凹部の底面が内端子支持中央凸部と当接することによって、内部給電端子は下動不能にプレートに保持される。その結果、内部給電端子は、倒れることなくより確実にプレートに保持できる。
【００２１】
請求項６に記載の発明によれば、ブラシ保持板はプレートの平行部とほぼ平行に延びるように設けられるので、ブラシ保持板を長くすることができ、給電ブラシの整流子への付勢圧を一定に保つことができる。その結果、モータの長時間の安定な作動が可能となり、モータの使用寿命を向上することができる。
【００２２】
請求項７に記載の発明によれば、プレートは配設されたブラシ保持板に対応した位置に貫通孔を有しているので、ヨークに電機子を収容した状態でプレートを組み付ける際、ピン等の工具をその貫通孔に挿入してブラシ及びブラシ保持板が電機子の整流子と干渉しない位置まで該ブラシ保持板を押し広げて組み付けることができる。その結果、プレートを容易にヨークに組み付けることができることから、モータの製造性を向上することができる。
【００２３】
請求項８に記載の発明によれば、プレートに一体に設けた導電板の遮蔽作用によって、ブラシと整流子が摺接するとき生じる電気ノイズがヨークの開口部から外部へ漏れることを防止することができる。
【００２４】
請求項９に記載の発明によれば、内端子保持台座にブラシ保持板と内部給電端子の連結部とが径方向に重なって保持される。従って、内端子保持台座によって内部給電端子が安定して保持されるので、該内部給電端子は倒れることなく確実にプレートに組み付け保持することができる。しかも、ブラシ保持板と内部給電端子の連結部とが径方向に重なるように保持されるので、モータを径方向によりコンパクト化することができる。
【００２５】
また、内部給電端子の連結部は端子部の裏面に形成されるので、端子部と連結部との間に隙間が生じることはなく、モータをよりコンパクト化することができる。又、内部給電端子自身もコンパクトになるため、材料費を低減することができる。
【００２６】
【発明の実施の形態】
以下、本発明を具体化した一実施形態を図１〜図８に従って説明する。
図１に示すように、本実施形態の給電端子内蔵モータとしてのモータ１０のヨーク１１は、有底扁平円筒状に形成され、その円筒内に電機子１２が収容されている。該ヨーク１１の内周面には、前記電機子１２を挟んで対向するように配置する２極の界磁磁石１３が設けられている。そのヨーク１１の開口部には４つの係合凹部１１ａが設けられている（図１においては１つの係合凹部１１ａのみ示している）。
【００２７】
前記電機子１２は、上下両端から中心軸線上に上下方へ延びる回転軸１４が備えられている。その回転軸１４は、図１に示すように、上方へ延びる一端１４ａがヨーク１１の底部に設けられた軸受１５により回転可能に支持され、下方へ延びる他端１４ｂが前記ヨーク１１の開口部を閉塞する蓋体１６に設けられた軸受１７により回転可能に支持されている。また、前記回転軸１４の他端１４ｂには、整流子１８が取り付けられている。
【００２８】
前記蓋体１６は、図１に示すように、導電板１９と、その導電板１９と一体成形されたエンドプレート２０とを備えている。その導電板１９は、金属板（例えば鉄板）からなり、図２及び図３に示すように、一対の平行部１９ａと一対の円弧部１９ｂが形成されている。その一対の円弧部１９ｂには、前記ヨーク１１の係合凹部１１ａと係合するための係合凸部１９ｃがそれぞれ２つ形成されている。また、図３に示すように、導電板１９の中央位置には、その平行部１９ａと直交する方向に延びる貫通孔１９ｄが４つ設けられている。さらに、図１及び図４に示すように、両円弧部１９ｂの近傍には、コネクタ貫通孔１９ｅがそれぞれ形成されている。
【００２９】
前記エンドプレート２０は、合成樹脂から成形され、図２に示すように、一対の平行部２０ａと一対の円弧部２０ｂが形成されている。つまり、エンドプレート２０は、その平面上の外形が前記導電板１９の外形とほぼ同じである。前記一対の円弧部２０ｂ付近におけるエンドプレート２０の裏面２０ｃには、図１及び図４に示すように、一対のコネクタ部２１が下方へ突設されている。エンドプレート２０を成形させる時においては、その一対のコネクタ部２１を、前記導電板１９のコネクタ貫通孔１９ｅを貫挿させながら前記導電板１９をエンドプレート２０の裏面２０ｃに固着させるように成形している。つまり、前記コネクタ部２１の形成によって、エンドプレート２０は前記導電板１９と例えばインサート成形によって一体に成形されている。そして、前記コネクタ部２１には、外端子挿入孔２１ａ（図１〜図４に示す）と内端子挟持スリット２１ｂ（図３に示す）がそれぞれ設けられている。
【００３０】
また、前記一対の円弧部２０ｂ付近におけるエンドプレート２０の表面２０ｄには、図１及び図４に示すように、上方へ延びる内端子保持台座２２がそれぞれ設けられている。その内端子保持台座２２の上面２２ａには、図１，図２及び図４に示すように、一対の台座係合部２２ｂが突出形成されている。その台座係合部２２ｂは、先端がテーパ状の凸部に形成されている。前記内端子保持台座２２の底部には、前記内端子挟持スリット２１ｂ（図３に示す）に連通するストッパ凹部２２ｃが図１，図３及び図４に示すように設けられている。また、その内端子保持台座２２の底部における両ストッパ凹部２２ｃ間には、図１，図３及び図４に示すように、内端子支持中央凸部２２ｄが形成されている。さらに、図１，図２及び図４に示すように、前記内端子保持台座２２の一側面には前記界磁磁石１３の軸方向の移動を阻止する移動阻止部２３が上方へ延びるように形成されている。
【００３１】
図１に示すように、前記エンドプレート２０の中央位置には、軸受保持部２４が設けられている。その軸受保持部２４には、前記軸受１７が保持されている。また、前記軸受保持部２４の近傍には、図２及び図３に示すように、エンドプレート２０の平行部２０ａと直交する方向に延びる貫通孔２０ｅが前記導電板１９に設けられた貫通孔１９ｄに対応して４つ設けられている。
【００３２】
前記内端子保持台座２２には、内部給電端子２５が保持されている。その内部給電端子２５は、図５〜図７に示すように、金属薄板よりプレス成形されている。内部給電端子２５の上端には、保持部２５ａが屈曲形成されている。その保持部２５ａには、２つの内端子係合部としての保持貫通孔２５ｆが設けられている。前記内部給電端子２５の下端には、凹部２５ｂを切り欠き形成することによって２つの挿入片２５ｃが形成されている。その一対の挿入片２５ｃには、それぞれ可倒凸部２５ｇが前記保持部２５ａが屈曲された側へ打ち出して形成されている。
【００３３】
また、前記内部給電端子２５のほぼ中間部両側には、一対の端子部２５ｄが前記保持部２５ａの屈曲方向と反対する方向に折り曲げ形成されている。その一対の端子部２５ｄと対向する内部給電端子２５の中間部分には、隆起部２５ｅが隆起形成されている。また、前記保持部２５ａが屈曲された内部給電端子２５の一面には、ブラシ保持突起２６が４つ突設されている。
【００３４】
次に、この内部給電端子２５のエンドプレート２０への保持について説明する。
まず、内部給電端子２５の一対の挿入片２５ｃを、図３に示すように前記エンドプレート２０の内端子挟持スリット２１ｂに挿入させる。このとき、前記保持貫通孔２５ｆが前記台座係合部２２ｂに貫挿され且つ前記保持部２５ａが前記内端子保持台座２２の上面２２ａに当接して保持貫通孔２５ｆが台座係合部２２ｂに嵌合するとともに、前記凹部２５ｂの底面が前記内端子支持中央凸部２２ｄと当接して前記可倒凸部２５ｇが前記ストッパ凹部２２ｃ内に入り込む。
【００３５】
従って、図１及び図４に示すように、前記可倒凸部２５ｇが前記ストッパ凹部２２ｃと係合されることによって内部給電端子２５は、上動不能にエンドプレート２０に対して保持される。一方、図１及び図４に示すように、前記凹部２５ｂの底面が前記内端子支持中央凸部２２ｄと当接し又は前記保持部２５ａが前記内端子保持台座２２の上面２２ａに当接することによって内部給電端子２５は、下動不能にエンドプレート２０に対して保持される。また、前記保持貫通孔２５ｆが図１及び図４に示すように前記台座係合部２２ｂに貫挿され、しかも前記一対の挿入片２５ｃが図３に示すように前記内端子挟持スリット２１ｂに挿入されることによって内部給電端子２５は、左右前後移動不能にエンドプレート２０に対して保持される。また、このとき、前記内部給電端子２５の端子部２５ｄと前記隆起部２５ｅは、図２及び図３に示すように、前記外端子挿入孔２１ａから露出されるようになる。
【００３６】
なお、本実施形態では、前記内部給電端子２５をエンドプレート２０に保持させると同時に、給電ブラシ２７のブラシ保持板２７ａが内部給電端子２５とエンドプレート２０の内端子保持台座２２とに狭持され固定される。即ち、図８に示すように、ブラシ保持板２７ａの基端部には、内部給電端子２５のブラシ保持突起２６と嵌合連結するための保持貫通孔２７ｃがそれぞれ対応した位置に４つ形成されている。そして、ブラシ保持板２７ａの保持貫通孔２７ｃと内部給電端子２５のブラシ保持突起２６と嵌合連結させた状態で、該内部給電端子２５をエンドプレート２０に保持すると、ブラシ保持板２７ａの基端部が該内部給電端子２５と内端子保持台座２２の側面とに狭持され固定されている。ブラシ保持板２７ａの先端部には、前記整流子１８と摺接するためのブラシ摺接部２７ｂが設けられている。そして、内部給電端子２５がエンドプレート２０に保持されたとき、前記ブラシ保持板２７ａの先端部は、前記エンドプレート２０の平行部２０ａとほぼ平行に延びるようになる。
【００３７】
次に、上記のように形成された蓋体１６のヨーク１１への組み付けを説明すると、まず、図２及び図３に２点鎖線で示すように、第１の拡開ピン２８を、前記導電板１９の底面から前記給電ブラシ２７を見える対角線上にある前記貫通孔１９ｄ及び貫通孔２０ｅにそれぞれ挿入させる。そして、その第１の拡開ピン２８にて、図２に示すように、両給電ブラシ２７が互いに離間するように前記ブラシ保持板２７ａの弾性力を抗して両給電ブラシ２７を拡開移動させる。そして、両給電ブラシ２７が、他方の対角線上にある貫通孔１９ｄ及び貫通孔２０ｅから見える位置まで拡開されると、図２に２点鎖線で示すように、第２の拡開ピン２９にて両給電ブラシ２７を続けて拡開移動させる。そして、両給電ブラシ２７を拡開させたままで前記移動阻止部２３を前記界磁磁石１３側に向けるとともに前記軸受保持部２４の軸受１７に前記回転軸１４の他端１４ｂが挿入されるように蓋体１６をヨーク１１へ組み付ける。このとき、前記係合凸部１９ｃをヨーク１１の係合凹部１１ａに係合させることによって蓋体１６はヨーク１１に組み付けられる。そして、前記拡開ピン２８，２９を外すと、前記両給電ブラシ２７のブラシ摺接部２７ｂがそれぞれ前記整流子１８と摺接するようになる。
【００３８】
そして、図示しない外部電源と接続された給電用端子Ｔを、図１に示すように、外端子挿入孔２１ａに挿入すると、その給電用端子Ｔは、図２及び図３に示すように、前記端子部２５ｄと前記隆起部２５ｅに挟持され内部給電端子２５と電気接続される。つまり、給電用端子Ｔは、内部給電端子２５及び給電ブラシ２７を介して整流子１８に給電するようになっている。
【００３９】
以下、本実施形態のモータ１０の特徴を記載する。
（１）本実施形態では、エンドプレート２０は、内端子保持台座２２と内端子挟持スリット２１ｂを備え、その内端子保持台座２２には、台座係合部２２ｂが設けられている。また、内部給電端子２５は、保持部２５ａと、凹部２５ｂ及び２つの挿入片２５ｃと、ブラシ保持突起２６とを備え、前記保持部２５ａには、２つの保持貫通孔２５ｆが設けられている。従って、給電ブラシ２７を連結した内部給電端子２５の一対の挿入片２５ｃを、内部給電端子２５が前記内端子保持台座２２に当接しながら前記エンドプレート２０の内端子挟持スリット２１ｂに挿入させることによって、内部給電端子２５はエンドプレート２０に保持される。また、前記保持部２５ａが前記内端子保持台座２２の上面２２ａに当接することによって内部給電端子２５はそれ以上下動不能にエンドプレート２０に保持される。さらに、前記保持貫通孔２５ｆが前記台座係合部２２ｂに貫挿され、しかも前記一対の挿入片２５ｃが前記内端子挟持スリット２１ｂに挿入されることによって、内部給電端子２５は左右前後移動不能にエンドプレート２０に保持される。その結果、内部給電端子２５は、倒れることなく確実にエンドプレート２０に保持することができる。
【００４０】
（２）本実施形態では、内端子保持台座２２の底部には、前記内端子挟持スリット２１ｂを連通するストッパ凹部２２ｃが設けられている。また、内部給電端子２５の一対の挿入片２５ｃには、それぞれ可倒凸部２５ｇが設けられている。従って、給電ブラシ２７を連結した内部給電端子２５の一対の挿入片２５ｃを、内部給電端子２５が前記内端子保持台座２２に当接しながら前記エンドプレート２０の内端子挟持スリット２１ｂに挿入させるとき、前記可倒凸部２５ｇがストッパ凹部２２ｃと係合されることによって、内部給電端子２５は上動不能にエンドプレート２０に保持される。その結果、内部給電端子２５は内端子保持台座２２から上動して脱落することなく内端子保持台座２２により確実に保持することができる。
【００４１】
（３）本実施形態では、内部給電端子２５の先端には、凹部２５ｂが切り欠かれて２つの挿入片２５ｃが形成されている。また、前記内端子保持台座２２の底部における両ストッパ凹部２２ｃ間には、内端子支持中央凸部２２ｄが形成されている。従って、内部給電端子２５の一対の挿入片２５ｃを、内部給電端子２５が前記内端子保持台座２２に当接しながら前記エンドプレート２０の内端子挟持スリット２１ｂに挿入させるとき、前記凹部２５ｂの底面が前記内端子支持中央凸部２２ｄと当接することによって内部給電端子２５は、下動不能にエンドプレート２０に保持される。その結果、内部給電端子２５は、倒れることなくより確実にエンドプレート２０に保持できる。
【００４２】
（４）本実施形態では、給電ブラシ２７を連結した内部給電端子２５は、エンドプレート２０に保持されるとき、給電ブラシ２７のブラシ保持板２７ａは、エンドプレート２０の平行部２０ａとほぼ平行に延びるように配置されている。従って、ブラシ保持板２７ａを長くすることができ、給電ブラシ２７の整流子１８への付勢圧を一定に保つことができる。その結果、モータ１０の長時間の安定な作動が可能となり、モータ１０の使用寿命を向上することができる。
【００４３】
（５）本実施形態では、導電板１９の中央位置には、その平行部１９ａと直交する方向に延びる貫通孔１９ｄが４つ設けられている。また、エンドプレート２０の中央位置には、その平行部２０ａと直交する方向に延びる貫通孔２０ｅが前記貫通孔１９ｄに対応して４つ設けられている。従って、蓋体１６をヨーク１１に組み付ける際、第１及び第２の拡開ピン２８，２９を前記貫通孔１９ｄ，２０ｅに挿入して給電ブラシ２７が前記整流子１８と干渉しない位置までブラシ保持板２７ａを押し広げて組み付けることができる。その結果、蓋体１６を容易にヨーク１１に組み付けることができることから、モータ１０の製造性を向上することができる。
【００４４】
（６）本実施形態では、蓋体１６は導電板１９を備え、蓋体１６をヨーク１１に組み付けることによって導電板１９はヨーク１１の開口部を覆うようになる。従って、導電板１９の遮蔽作用によって給電ブラシ２７と整流子１８が摺接するとき生じる電気ノイズはヨーク１１の開口部から外部へ漏れることを防止することができる。
【００４５】
（７）本実施形態では、給電ブラシ２７は、そのブラシ保持板２７ａが内部給電端子２５の裏面に直接結合されるので、従来のようにブラシ保持板と連結するための平板部と雌型端子との間に隙間が生じないため、モータ１０のコンパクト化を図ることができる。又、内部給電端子２５自身もコンパクトになるため、材料費を低減することができる。
【００４６】
（８）本実施形態では、ブラシ保持板２７ａは、内部給電端子２５と内端子保持台座２２とで狭持され、ブラシ保持板２７ａの保持貫通孔２７ｃと内部給電端子２５のブラシ保持突起２６とが嵌合する。従って、ブラシ保持板２７ａを余分な部品を必要とすることなく、簡単に取り付けることができる。しかも、保持貫通孔２７ｃとブラシ保持突起２６との嵌合により、ブラシ保持板２７ａを確実に移動不能に固定することができる。
【００４７】
なお、実施形態は前記に限定されるものではなく、例えば、次のように変更してもよい。
○上記実施形態では、内端子保持台座２２を図２及び図４のように形成したが、この形状に限定されるものではなく適宜変更してもよい。例えば、台座係合部２２ｂを２つ設けたが、台座係合部２２ｂは１つ又は３つ以上であってもよい。
【００４８】
○上記実施形態では、内部給電端子２５を図５〜図７のように形成したが、この形状に限定されるものではなく適宜変更してもよい。例えば、可倒凸部２５ｇを省略してもよい。この場合、可倒凸部２５ｇが係合するストッパ凹部２２ｃも省略できる。
【００４９】
○上記実施形態では、給電ブラシ２７を図８のように形成したが、この形状に限定されるものではなく適宜変更してもよい。例えば、保持貫通孔２７ｃの数、位置及び形状を変更してもよい。この場合、内部給電端子２５に設けたブラシ保持突起２６を保持貫通孔２７ｃに対応して変更する。
【００５０】
○上記実施形態では、ブラシ保持板２７ａを、内部給電端子２５と内端子保持台座２２とで狭持し、ブラシ保持板２７ａの保持貫通孔２７ｃと内部給電端子２５のブラシ保持突起２６とを嵌合連結させてブラシ保持板２７ａを移動不能に固定するようにしたが、ブラシ保持板２７ａの固定構造はこれに限定されるものではない。例えば、ブラシ保持板２７ａを移動不能に連結する手段は、ブラシ保持板２７ａ、内部給電端子２５及び内端子保持台座２２のうち少なくとも１つに備えていればよい。また、ブラシ保持板２７ａを内部給電端子２５と内端子保持台座２２とで狭持せず、他の固定手段で内部給電端子２５に固定するようにしてもよい。
【００５１】
○上記実施形態では、導電板１９は、エンドプレート２０の成形時にエンドプレート２０の裏面２０ｃに覆うようにエンドプレート２０に固着させたが、導電板１９を、エンドプレート２０を成形したあとに、他の固定部材にてエンドプレート２０の裏面２０ｃに覆うようにエンドプレート２０に固着させてもよい。
【００５２】
○上記実施形態では、一対の円弧部１９ｂには係合凸部１９ｃをそれぞれ２つ設けたが、係合凸部１９ｃをそれぞれ１つ又は３つ以上に設けてもよい。
○上記実施形態では、ヨーク１１の内周面には界磁磁石１３を２つ設けた２磁極モータ１０であったが、界磁磁石１３を３以上に設けた多磁極モータであってもよい。
【００５３】
○移動阻止部２３の個数は適宜変更できる。上記実施形態では、１つの界磁磁石１３に対して移動阻止部２３は１つであったが、これを２つ以上にしてもよい。
【００５４】
○モータ１０の平断面形状は適宜変更できる。すなわち、モータ１０は、断面偏平形状に限らず、断面が円形状のものであってもよい。
【００５５】
【発明の効果】
以上詳述したように、請求項１乃至９に記載の発明によれば、内部給電端子が倒れることなく確実にモータ内部に組み付け保持することができる給電端子内蔵モータを提供することができる。
【００５６】
また、コンパクト化を図ることができる給電端子内蔵モータを提供することができる。
【図面の簡単な説明】
【図１】  本実施形態の給電端子内蔵モータの断面図。
【図２】  同じく給電端子内蔵モータの蓋体の平面図。
【図３】  同じく給電端子内蔵モータの蓋体の底面図。
【図４】  同じく給電端子内蔵モータの蓋体の図２におけるＡ−Ａ線断面図。
【図５】  同じく給電端子内蔵モータの内部給電端子の正面図。
【図６】  同じく内部給電端子の平面図。
【図７】  同じく内部給電端子の図６におけるＢ−Ｂ線断面図。
【図８】  同じく給電ブラシの斜視図。
【符号の説明】
１１…ヨーク、１２…電機子、１４…回転軸、１８…整流子、１９…導電板、２０…プレートとしてのエンドプレート、２０ａ…平行部、２０ｂ…円弧部、２０ｃ…裏面としての外側面、２０ｄ…表面としての内側面、２０ｅ…貫通孔、２１ａ…外端子挿入孔、２１ｂ…内端子挟持スリット、２２…内端子保持台座、２２ｂ…台座係合部、２２ｃ…ストッパ凹部、２２ｄ…内端子支持中央凸部、２５…内部給電端子、２５ａ…保持部、２５ｂ…凹部、２５ｃ…挿入片、２５ｄ…端子部、２５ｆ…内端子係合部としての保持貫通孔、２５ｇ…可倒凸部、２６…連結手段としての連結部を構成するブラシ保持突起、２７ａ…ブラシ保持板、２７ｂ…ブラシとしてのブラシ摺接部、２７ｃ…連結手段としての保持貫通孔、Ｔ…給電用端子。
【図１】
0003699644.tif 000002
【図２】
0003699644.tif 000003
【図３】
0003699644.tif 000004
【図４】
0003699644.tif 000005
【図５】
0003699644.tif 000006
【図６】
0003699644.tif 000007
【図７】
0003699644.tif 000008
【図８】
0003699644.tif 000009